(57)【特許請求の範囲】
【請求項１】
施設において第１コンテンツとともに提供される第２コンテンツに関して、当該第２コンテンツを前記施設で表示する時間枠である広告枠に関する情報を当該施設側から取得する取得部と、
前記取得部によって取得された広告枠に関する情報を前記第２コンテンツの提供主に提示するとともに、当該第２コンテンツの提供主が指定する条件であって、前記施設において第２コンテンツが提供される条件である提供条件が付された第２コンテンツの入稿を受け付ける入稿受付部と、
前記第２コンテンツの取得要求とともに、当該第２コンテンツの取得に関する条件である要求条件を前記施設側から受け付ける要求受付部と、
前記入稿受付部によって受け付けられた提供条件と、前記要求受付部によって受け付けられた前記第２コンテンツの要求条件とが合致する場合に、前記取得要求に対応する第２コンテンツに関する情報を施設側に配信する配信部と、
を備えたことを特徴とする配信装置。
【請求項２】
前記配信部は、
前記第２コンテンツに関する情報として、該第２コンテンツを識別する識別情報を配信する、
ことを特徴とする請求項１に記載の配信装置。
【請求項３】
前記入稿受付部は、
前記提供条件として、前記第１コンテンツに関する条件を受け付ける、
ことを特徴とする請求項１又は２に記載の配信装置。
【請求項４】
前記入稿受付部は、
前記第１コンテンツに関する条件として、前記第１コンテンツの制作者に関する情報、及び、前記第１コンテンツの内容に関する情報の少なくとも１つを受け付ける、
ことを特徴とする請求項３に記載の配信装置。
【請求項５】
前記入稿受付部は、
前記第１コンテンツの制作者に関する情報として、前記第１コンテンツの制作者、監督、配給会社、制作者の国籍、当該制作者の動員実績の少なくとも１つを受け付ける、
ことを特徴とする請求項４に記載の配信装置。
【請求項６】
前記入稿受付部は、
前記第１コンテンツの内容に関する情報として、前記第１コンテンツのジャンル、タイトル、出演者の少なくとも１つを受け付ける、
ことを特徴とする請求項４に記載の配信装置。
【請求項７】
前記要求受付部は、
前記要求条件として、前記第２コンテンツに関する条件を受け付ける、
ことを特徴とする請求項１〜６のいずれか一つに記載の配信装置。
【請求項８】
前記要求受付部は、
前記第２コンテンツに関する条件として、前記第２コンテンツの内容、前記第２コンテンツが属する分野、前記第２コンテンツの時間長の少なくとも一つを受け付ける、
ことを特徴とする請求項７に記載の配信装置。
【請求項９】
前記入稿受付部は、
前記提供条件として、前記施設に関する条件を受け付ける、
ことを特徴とする請求項１〜８のいずれか一つに記載の配信装置。
【請求項１０】
前記入稿受付部は、
前記施設に関する条件として、前記施設自体に関する情報、及び、前記施設における観客に関する情報の少なくとも１つを受け付ける、
ことを特徴とする請求項９に記載の配信装置。
【請求項１１】
前記入稿受付部は、
前記施設自体に関する情報として、前記施設が所在する地域、前記施設で前記第１コンテンツが提供される日程、前記施設に収容可能な収容数、前記施設において提供される第１コンテンツの傾向又はジャンル、前記施設を運営する運営会社、及び、前記施設において前記第１コンテンツを同時に提供可能な数の少なくとも１つを受け付ける、
ことを特徴とする請求項１０に記載の配信装置。
【請求項１２】
前記入稿受付部は、
前記施設における観客に関する情報として、前記施設における観客の動員数の実績、前記施設における観客の現時点での動員数、及び、前記施設における観客の属性の少なくとも１つを受け付ける、
ことを特徴とする請求項１１に記載の配信装置。
【請求項１３】
前記入稿受付部は、
前記施設に関する条件として、前記施設が所在する地域、前記施設で前記第１コンテンツが提供される日程、前記施設に収容可能な収容数、前記施設において提供される第１コンテンツの傾向又はジャンル、前記施設を運営する運営会社、前記施設において前記第１コンテンツを同時に提供可能な数、前記施設における観客の動員数の実績、前記施設における観客の現時点での動員数、及び、前記施設における観客の属性の少なくとも１つを受け付ける、
ことを特徴とする請求項９〜１２のいずれか一つに記載の配信装置。
【請求項１４】
前記第１コンテンツに関する条件として、前記第１コンテンツの制作者、監督、配給会社、制作者の国籍、当該制作者の動員実績、前記第１コンテンツのジャンル、タイトル、及び、出演者の少なくとも１つを受け付ける、
ことを特徴とする請求項３に記載の配信装置。
【請求項１５】
前記配信部は、
前記入稿受付部によって第２コンテンツの入稿が受け付けられた場合に、当該第２コンテンツを前記施設へ配信し、前記要求受付部によって前記取得要求が受け付けられた場合に、前記第２コンテンツに関する情報として、当該取得要求に対応する第２コンテンツを識別するための識別情報を前記施設へ配信する、
ことを特徴とする請求項１〜１４のいずれか一つに記載の配信装置。
【請求項１６】
前記配信部は、
前記要求受付部によって前記取得要求が受け付けられた場合に、前記第２コンテンツに関する情報として、当該取得要求に対応する第２コンテンツを前記施設へ配信する、
ことを特徴とする請求項１〜１５のいずれか一つに記載の配信装置。
【請求項１７】
前記配信部は、
ウェブサイト向けに配信された任意のコンテンツに対する評判に基づいて、前記施設に配信する第２コンテンツを選定する、
ことを特徴とする請求項１〜１６のいずれか一つに記載の配信装置。
【請求項１８】
前記配信部は、
前記任意のコンテンツとして前記ウェブサイト向けに配信された第２コンテンツに対する評判に基づいて、前記施設に配信する第２コンテンツを選定する、
ことを特徴とする請求項１７に記載の配信装置。
【請求項１９】
前記第２コンテンツを前記施設で提供可能な形式に変換する変換部をさらに備え、
前記配信部は、
前記変換部によって変換された後の第２コンテンツに関する情報を前記施設に配信する、
ことを特徴とする請求項１〜１８のいずれか一つに記載の配信装置。
【請求項２０】
コンピュータが実行する配信方法であって、
施設において第１コンテンツとともに提供される第２コンテンツに関して、当該第２コンテンツを前記施設で表示する時間枠である広告枠に関する情報を当該施設側から取得する取得工程と、
前記取得工程によって取得された広告枠に関する情報を前記第２コンテンツの提供主に提示するとともに、当該第２コンテンツの提供主が指定する条件であって、前記施設において第２コンテンツが提供される条件である提供条件が付された第２コンテンツの入稿を受け付ける入稿受付工程と、
前記第２コンテンツの取得要求とともに、当該第２コンテンツの取得に関する条件である要求条件を前記施設側から受け付ける要求受付工程と、
前記入稿受付工程によって受け付けられた提供条件と、前記要求受付工程によって受け付けられた前記第２コンテンツの要求条件とが合致する場合に、前記取得要求に対応する第２コンテンツに関する情報を施設側に配信する配信工程と、
を含んだことを特徴とする配信方法。
【請求項２１】
施設において第１コンテンツとともに提供される第２コンテンツに関して、当該第２コンテンツを前記施設で表示する時間枠である広告枠に関する情報を当該施設側から取得する取得手順と、
前記取得手順によって取得された広告枠に関する情報を前記第２コンテンツの提供主に提示するとともに、当該第２コンテンツの提供主が指定する条件であって、前記施設において第２コンテンツが提供される条件である提供条件が付された第２コンテンツの入稿を受け付ける入稿受付手順と、
前記第２コンテンツの取得要求とともに、当該第２コンテンツの取得に関する条件である要求条件を前記施設側から受け付ける要求受付手順と、
前記入稿受付手順によって受け付けられた提供条件と、前記要求受付手順によって受け付けられた前記第２コンテンツの要求条件とが合致する場合に、前記取得要求に対応する第２コンテンツに関する情報を施設側に配信する配信手順と、
をコンピュータに実行させることを特徴とする配信プログラム。
【請求項２２】
施設において第１コンテンツとともに提供される第２コンテンツに関して、当該第２コンテンツを施設で表示する時間枠である広告枠に関する情報を配信装置に送信するとともに、当該第２コンテンツの取得に関する条件である要求条件を付した前記第２コンテンツの取得要求を配信装置に送信する送信部と、
前記第１コンテンツに付された条件であって、前記第１コンテンツが提供される条件である提供条件と、前記送信部によって送信された要求条件とが合致する場合に、前記取得要求を受信した配信装置から、当該取得要求に対応する第２コンテンツに関する情報を受信する受信部と、
を備えたことを特徴とする施設装置。
【請求項２３】
配信装置と、施設で利用される施設装置とを含む配信システムであって、
前記施設装置は、
前記施設において第１コンテンツとともに提供される第２コンテンツに関して、当該第２コンテンツを当該施設で表示する時間枠である広告枠に関する情報を配信装置に送信するとともに、当該第２コンテンツの取得に関する条件である要求条件を付した前記第２コンテンツの取得要求を配信装置に送信する送信部を備え、
前記配信装置は、
前記広告枠に関する情報を前記施設装置から取得する取得部と、
前記取得部によって取得された広告枠に関する情報を前記第２コンテンツの提供主に提示するとともに、当該第２コンテンツの提供主が指定する条件であって、前記施設において第２コンテンツが提供される条件である提供条件が付された第２コンテンツの入稿を受け付ける入稿受付部と、
前記第２コンテンツの取得要求とともに、当該第２コンテンツの取得に関する条件である要求条件を前記施設側から受け付ける要求受付部と、
前記入稿受付部によって受け付けられた提供条件と、前記要求受付部によって受け付けられた前記第２コンテンツの要求条件とが合致する場合に、前記取得要求に対応する第２コンテンツに関する情報を前記施設装置に配信する配信部と、
を備えたことを特徴とする配信システム。
【請求項２４】
施設において第１コンテンツとともに提供される第２コンテンツの入稿を受け付ける入稿受付部と、
前記第２コンテンツの取得要求を受け付ける要求受付部と、
前記取得要求に対応する第２コンテンツであって、前記施設以外に配信された際の当該第２コンテンツに対する評判に基づいて選定された第２コンテンツに関する情報を当該取得要求の送信元である施設側に配信する配信部と、
を備えたことを特徴とする配信装置。
【請求項２５】
コンピュータが実行する配信方法であって、
施設において第１コンテンツとともに提供される第２コンテンツの入稿を受け付ける入稿受付工程と、
前記第２コンテンツの取得要求を受け付ける要求受付工程と、
前記取得要求に対応する第２コンテンツであって、前記施設以外に配信された際の当該第２コンテンツに対する評判に基づいて選定された第２コンテンツに関する情報を当該取得要求の送信元である施設側に配信する配信工程と、
を含んだことを特徴とする配信方法。
【請求項２６】
施設において第１コンテンツとともに提供される第２コンテンツの入稿を受け付ける入稿受付手順と、
前記第２コンテンツの取得要求を受け付ける要求受付手順と、
前記取得要求に対応する第２コンテンツであって、前記施設以外に配信された際の当該第２コンテンツに対する評判に基づいて選定された第２コンテンツに関する情報を当該取得要求の送信元である施設側に配信する配信手順と、
をコンピュータに実行させることを特徴とする配信プログラム。
【請求項２７】
施設において第１コンテンツとともに提供される第２コンテンツの取得要求を配信装置に送信する送信部と、
前記取得要求を受信した配信装置から、当該取得要求に対応する第２コンテンツであって、前記施設以外に配信された際の当該第２コンテンツに対する評判に基づいて選定された第２コンテンツを受信する受信部と、
を備えたことを特徴とする施設装置。
【請求項２８】
配信装置と、施設で利用される施設装置とを含む配信システムであって、
前記施設装置は、
前記施設において第１コンテンツとともに提供される第２コンテンツの取得要求を配信装置に送信する送信部を備え、
前記配信装置は、
前記第１コンテンツとともに提供される第２コンテンツの入稿を受け付ける入稿受付部と、
前記施設装置から受信した取得要求に対応する第２コンテンツであって、前記施設以外に配信された際の当該第２コンテンツに対する評判に基づいて選定された第２コンテンツに関する情報を前記施設装置に配信する配信部と、
を備えたことを特徴とする配信システム。
【請求項２９】
施設において第１コンテンツとともに提供される第２コンテンツの入稿を受け付ける入稿受付部と、
前記第２コンテンツの取得要求を受け付ける要求受付部と、
前記取得要求に対応する第２コンテンツに関する情報を当該取得要求の送信元である施設側に配信する配信部と、
前記配信部によって配信された第２コンテンツが前記施設で提供される場合の当該第２コンテンツの提供主に対する課金額を、予め当該第２コンテンツに設定された一動員あたりの単価と、前記取得要求が受け付けられた時点の当該施設における実際の動員数とに基づいて算定する算定部と、
を備えたことを特徴とする配信装置。
【請求項３０】
コンピュータが実行する配信方法であって、
施設において第１コンテンツとともに提供される第２コンテンツの入稿を受け付ける入稿受付工程と、
前記第２コンテンツの取得要求を受け付ける要求受付工程と、
前記取得要求に対応する第２コンテンツに関する情報を当該取得要求の送信元である施設側に配信する配信工程と、
前記配信工程によって配信された第２コンテンツが前記施設で提供される場合の当該第２コンテンツの提供主に対する課金額を、予め当該第２コンテンツに設定された一動員あたりの単価と、前記取得要求が受け付けられた時点の当該施設における実際の動員数とに基づいて算定する算定工程と、
を含んだことを特徴とする配信方法。
【請求項３１】
施設において第１コンテンツとともに提供される第２コンテンツの入稿を受け付ける入稿受付手順と、
前記第２コンテンツの取得要求を受け付ける要求受付手順と、
前記取得要求に対応する第２コンテンツに関する情報を当該取得要求の送信元である施設側に配信する配信手順と、
前記配信手順によって配信された第２コンテンツが前記施設で提供される場合の当該第２コンテンツの提供主に対する課金額を、予め当該第２コンテンツに設定された一動員あたりの単価と、前記取得要求が受け付けられた時点の当該施設における実際の動員数とに基づいて算定する算定手順と、
をコンピュータに実行させることを特徴とする配信プログラム。
【請求項３２】
施設において第１コンテンツとともに提供される第２コンテンツの取得要求を配信装置に送信する送信部と、
前記取得要求を受信した配信装置から、当該取得要求に対応する第２コンテンツであって、当該第２コンテンツが前記施設で提供される場合の当該第２コンテンツの提供主に対する課金額が、予め当該第２コンテンツに設定された一動員あたりの単価と、当該施設で当該第２コンテンツが提供された際の実際の動員数とに基づいて算定される第２コンテンツを受信する受信部と、
を備え、
前記送信部は、
前記実際の動員数として、前記取得要求を送信した時点における前記施設の実際の動員数を前記配信装置側に送信する、
ことを特徴とする施設装置。
【請求項３３】
配信装置と、施設で利用される施設装置とを含む配信システムであって、
前記施設装置は、
前記施設において第１コンテンツとともに提供される第２コンテンツの取得要求を配信装置に送信する送信部を備え、
前記配信装置は、
前記第１コンテンツとともに提供される第２コンテンツの入稿を受け付ける入稿受付部と、
前記施設装置から受信した取得要求に対応する第２コンテンツに関する情報を前記施設装置に配信する配信部と、
前記配信部によって配信された第２コンテンツが前記施設で提供される場合の当該第２コンテンツの提供主に対する課金額を、予め当該第２コンテンツに設定された一動員あたりの単価と、当該施設で当該第２コンテンツが提供された際の実際の動員数とに基づいて算定する算定部と、
を備え、
前記施設装置に係る送信部は、
前記実際の動員数として、前記取得要求を送信した時点における前記施設の実際の動員数を前記配信装置側に送信する、
ことを特徴とする配信システム。
【発明の詳細な説明】
【技術分野】
【０００１】
本発明は、配信装置、配信方法、配信プログラム、施設装置及び配信システムに関する。
【背景技術】
【０００２】
現在、施設で提供されるコンテンツには、そのコンテンツの本編前に組み込まれる広告が上映される広告枠が設けられていることがある。例えば、映画館においては、上映される映画の本編前に数分間の広告枠が設定される。
【０００３】
このような広告配信に関する技術として、上映場所の視聴者に対して動画及びプロモーション用コンテンツをスケジューリングする技術が知られている。具体的には、この技術では、プロモーション用コンテンツを提示するタイムスロットに広告プロバイダから入札を求め、受信した入札に応じて広告プロバイダからの広告をタイムスロットに関連付け、その広告プロバイダから電子的に広告を取得する。
【先行技術文献】
【特許文献】
【０００４】
【特許文献１】特表２００７−５０５３９３号公報
【発明の概要】
【発明が解決しようとする課題】
【０００５】
しかしながら、上記の従来技術では、配給側の負担を軽減させることができるとは限らない。具体的には、上記の従来技術では、配給側は上映対象の広告を編成することを要する。例えば、配給側は、タイムスロットに対して広告プロバイダから入札を受け付ける。このため、配給側は、タイムスロットごとの配信コンテンツの編成が求められる。また、任意のタイムスロットに広告プロバイダから入札がなされない場合、配給側は、改めて条件を提示して広告プロバイダを募らねばならない。このように、配給側にとって広告配信のための作業が煩雑となる。
【０００６】
本願は、上記に鑑みてなされたものであって、配給側の負担を軽減させることができる配信装置、配信方法、配信プログラム、施設装置及び配信システムを提供することを目的とする。
【課題を解決するための手段】
【０００７】
本願に係る配信装置は、施設において第１コンテンツとともに提供される第２コンテンツの入稿を受け付ける入稿受付部と、前記第２コンテンツの取得要求を受け付ける要求受付部と、前記取得要求に対応する第２コンテンツに関する情報を配信する配信部とを備えたことを特徴とする。
【発明の効果】
【０００８】
実施形態の一態様によれば、配給側の負担を軽減させることができるという効果を奏する。
【図面の簡単な説明】
【０００９】
【図１】図１は、実施形態に係る配信処理の一例を示す図である。
【図２】図２は、実施形態に係る配信システムの構成例を示す図である。
【図３】図３は、実施形態に係る広告装置の構成例を示す図である。
【図４】図４は、実施形態に係る広告枠記憶部の一例を示す図である。
【図５】図５は、実施形態に係る広告コンテンツ記憶部の一例を示す図である。
【図６】図６は、実施形態に係る取得要求記憶部の一例を示す図である。
【図７】図７は、実施形態に係る映画館装置の構成例を示す図である。
【図８】図８は、実施形態に係る広告装置による広告コンテンツの入稿受付処理手順を示すフローチャートである。
【図９】図９は、実施形態に係る広告装置による広告コンテンツの配信処理手順を示すフローチャートである。
【図１０】図１０は、変形例に係る配信処理の一例を示す図である。
【図１１】図１１は、変形例に係る広告コンテンツ記憶部の一例である。
【図１２】図１２は、変形例に係る取得要求記憶部の一例である。
【図１３】図１３は、変形例に係る配信処理の一例を示す図である。
【図１４】図１４は、変形例に係る配信システムの構成例を示す図である。
【図１５】図１５は、広告装置の機能を実現するコンピュータの一例を示すハードウェア構成図である。
【発明を実施するための形態】
【００１０】
以下に、本願に係る配信装置、配信方法、配信プログラム、施設装置及び配信システムを実施するための形態（以下、「実施形態」と呼ぶ）について図面を参照しつつ詳細に説明する。なお、この実施形態により本願に係る配信装置、配信方法、配信プログラム、施設装置及び配信システムが限定されるものではない。また、以下の各実施形態において同一の部位には同一の符号を付し、重複する説明は省略される。
【００１１】
〔１．配信処理〕
まず、図１を用いて、実施形態に係る配信処理の一例について説明する。図１は、実施形態に係る配信処理の一例を示す図である。図１では、本願に係る配信装置に対応する広告装置１００によって広告の配信処理が行われる例を示す。なお、以下では、施設として映画館を例に挙げ、施設で提供される第１コンテンツとして映画を例に挙げ、第１コンテンツとともに提供される第２コンテンツとして広告コンテンツを例に挙げて説明する。
【００１２】
図１に示した例において、映画館で上映される映画には広告コンテンツが上映される広告枠が設けられる。例えば、映画の本編前に数分間の広告枠が設けられる。広告装置１００は、このような広告コンテンツが上映される広告枠に関する情報を映画館装置２０から取得する（ステップＳ１０）。なお、映画館装置２０は、映画館管理者によって利用される情報処理装置である。
【００１３】
広告装置１００は、例えば、広告枠に関する情報として、広告コンテンツが上映される映画館の名称や、広告枠が組み込まれる映画のタイトルや、広告コンテンツが映画館で上映される日時である配信日程などの情報の提示を受ける。そして、広告装置１００は、広告枠に関する情報として、映画館の名称や、映画のタイトルや、広告の配信日程などを記憶する。
【００１４】
続いて、広告装置１００は、広告主が操作する情報処理装置である広告主端末１０に対して、広告枠に関する情報を提示するとともに、映画館での広告提供に関する権利の販売サービスを提供する（ステップＳ１１）。ここで、映画館での広告提供に関する権利の販売サービスとは、映画館において任意の広告枠で広告コンテンツを提供させるための権利を広告主に販売することを意味する。すなわち、広告主はかかる権利を取得することにより、映画館において、取得した権利に対応する広告枠で広告コンテンツを提供させることができる。
【００１５】
ここで、映画館での広告提供に関する権利の販売サービスにおいて、広告主は、広告枠自体を指定して映画館での広告提供に関する権利を購入することもできるが、任意の提供条件を指定することにより、かかる権利の販売サービスを利用することもできる。具体的には、広告主端末１０は、広告主の要望にしたがって、広告コンテンツを提供させたい映画館や広告コンテンツとともに上映される映画のタイトルなどを提供条件として指定し、広告装置１００に通知する。また、広告主端末１０は、提供条件とともに映画館で提供させる広告コンテンツの入稿を行う（ステップＳ１２）。広告装置１００は、提供条件とともに広告コンテンツの入稿を受け付ける。そして、広告装置１００は、提供条件と入稿された広告コンテンツとを対応付けて記憶する。この場合、広告装置１００は、広告主端末１０からの広告コンテンツの入稿の手続きにより、広告主端末１０を映画館での広告提供に関する権利の販売サービスに入札したものとして扱う。
【００１６】
また、映画館装置２０は、任意の広告枠で広告コンテンツを提供する時刻の所定時間前に、広告装置１００から配信を受ける広告コンテンツについて、取得にあたっての要求条件を設定する（ステップＳ１３）。具体的には、映画館装置２０は、取得したい広告コンテンツの内容や、広告コンテンツの属する分野や、広告コンテンツの時間長などを取得条件として設定する。かかる要求条件は、映画館装置２０の管理者によって設定されてもよいし、映画館装置２０に組み込まれたプログラムにより自動で設定されてもよい。
【００１７】
そして、映画館装置２０は、かかる要求条件とともに、広告コンテンツの取得要求を広告装置１００に送信する（ステップＳ１４）。広告装置１００は、かかる取得要求を受け付ける。
【００１８】
そして、広告装置１００は、広告主端末１０から受け付けた提供条件と、映画館装置２０から受け付けた要求条件との合致を判定する（ステップＳ１５）。そして、広告装置１００は、双方の要求が合致した広告コンテンツを映画館装置２０に配信する（ステップＳ１６）。なお、広告装置１００は、映画館に広告コンテンツを配信する前に、上映される映画館の上映設備に適合させるよう、広告コンテンツに必要な変換処理を行う場合がある。上記の変換処理について、詳しくは後述する。
【００１９】
そして、映画館装置２０は、取得要求に対応する広告枠で、広告装置１００から配信された広告コンテンツを観客に提供する（ステップＳ１７）。この後、映画館装置２０は、映画館で実際に広告コンテンツが提供された旨を広告装置１００に通知する（ステップＳ１８）。そして、広告装置１００は、かかる広告枠に対応する課金額を広告主端末１０に通知する（ステップＳ１９）。
【００２０】
このように、実施形態に係る広告装置１００は、映画館において映画とともに提供される広告コンテンツの入稿を受け付け、映画館から広告コンテンツの取得要求を受け付け、受け付けられた広告コンテンツのうち受け付けられた取得要求に対応する広告コンテンツを映画館へ配信する。これにより、実施形態に係る広告装置１００は、広告配信において、映画館側の負担を軽減させることができる。
【００２１】
また、広告主は、個々の映画館側と直接的な手続きや広告コンテンツの入稿を必要とすることなく、提供条件を指定するとともに広告コンテンツを広告装置１００に入稿しさえすればよい。これにより、実施形態に係る広告装置１００は、広告主の希望する条件に沿った広告枠で広告コンテンツを提供させることができる。また、映画館側は、個々の広告枠に対して一つの広告コンテンツを事前に定めることなく、映画館側の希望する要求条件を設定し、広告コンテンツの取得要求を広告装置１００に送信しさえすればよい。これにより、実施形態に係る広告装置１００は、要求条件に応じて、映画館に提供する広告コンテンツを抽出することができる。この結果、実施形態に係る広告装置１００は、配給側と広告主側との要求を合致させた広告コンテンツの配信をすることができる。
【００２２】
なお、上記実施形態では、映画の本編上映前に広告が提供される例を示した。このように、第１コンテンツとともに提供される第２コンテンツとは、映画本編が上映される際に、本編前に提供される広告や映画の予告編などを意味する。また、かかる第２コンテンツには、本編である第１コンテンツにオーバーレイのように重ねて提供されるようなものも含まれるものとする。すなわち、第２コンテンツは、上記実施形態のように本編前に組み込まれる広告枠で提供されるとは限られず、本編である第１コンテンツに重ねて提供される場合もありうる。この場合、広告枠に関する情報には、第２コンテンツは本編である第１コンテンツに重ねて提供される旨の情報が含まれることがある。また、上述した映画館での広告提供に関する権利には、広告枠に広告コンテンツを組み込む権利のみならず、本編である第１コンテンツにオーバーレイする権利を含む。
【００２３】
〔２．配信システムの構成〕
次に、図２を用いて、実施形態に係る配信システムの構成について説明する。図２は、実施形態に係る配信システム１の構成例を示す図である。図２に示すように、配信システム１には、広告主端末１０と、映画館装置２０と、広告装置１００とが含まれる。広告主端末１０、映画館装置２０及び広告装置１００は、ネットワークＮを介して、有線又は無線により通信可能に接続される。なお、図２に示した配信システム１には、複数台の広告主端末１０や、複数台の映画館装置２０が含まれてもよい。
【００２４】
広告主端末１０は、広告装置１００に広告配信を依頼する広告主によって利用される情報処理装置である。広告主端末１０は、例えば、デスクトップ型ＰＣ（Personal  Computer）や、ノート型ＰＣや、タブレット型端末や、携帯電話機、ＰＤＡ（Personal  Digital  Assistant）等により実現される。
【００２５】
具体的には、広告主端末１０は、広告主による操作に従って、広告装置１００に映画館での広告提供について提供条件を送信したり、広告コンテンツを入稿したりする。
【００２６】
なお、広告主は、広告主端末１０を用いて、広告コンテンツを広告装置１００に入稿せずに、広告コンテンツの入稿を代理店に依頼する場合もある。この場合、広告装置１００に広告コンテンツを入稿するのは代理店となる。以下では、「広告主」といった表記は、広告主だけでなく代理店を含む概念であり、「広告主端末」といった表記は、広告主端末だけでなく代理店によって利用される代理店装置を含む概念であるものとする。
【００２７】
映画館装置２０は、映画館管理者によって利用される施設装置である。具体的には、映画館装置２０は、広告枠に関する情報の管理や、広告装置１００から配信される広告コンテンツを映画館で上映するための処理等を行う。
【００２８】
広告装置１００は、広告コンテンツを映画館装置２０に配信するサーバ装置である。図１を用いて説明したように、実施形態に係る広告装置１００は、映画館において映画とともに提供される広告コンテンツの入稿を受け付けたり、映画館から広告コンテンツの取得要求を受け付けたり、受け付けられた広告コンテンツのうち受け付けられた取得要求に対応する広告コンテンツを映画館へ配信したりする。
【００２９】
〔３．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、広告枠記憶部１２１と、広告コンテンツ記憶部１２２と、取得要求記憶部１２３と、制御部１３０とを有する。なお、広告装置１００は、広告装置１００を利用する管理者等から各種操作を受け付ける入力部（例えば、キーボードやマウス等）や、各種情報を表示するための表示部（例えば、液晶ディスプレイ等）を有してもよい。
【００３０】
〔３−１．通信部〕
通信部１１０は、例えば、ＮＩＣ（Network  Interface  Card）等によって実現される。かかる通信部１１０は、ネットワークＮと有線又は無線で接続され、ネットワークＮを介して、広告主端末１０や映画館装置２０との間で情報の送受信を行う。
【００３１】
〔３−２．記憶部〕
広告枠記憶部１２１、広告コンテンツ記憶部１２２及び取得要求記憶部１２３は、例えば、ＲＡＭ（Random  Access  Memory)、フラッシュメモリ（Flash  Memory）等の半導体メモリ素子、又は、ハードディスク、光ディスク等の記憶装置によって実現される。
【００３２】
〔３−３．広告枠記憶部〕
広告枠記憶部１２１は、広告枠に関する情報を記憶する。ここで、図４に、実施形態に係る広告枠記憶部１２１の一例を示す。図４に示した例では、広告枠記憶部１２１は「映画館」、「スクリーン」、「座席数」、「本編タイトル」、「配信日程」、「広告枠ＩＤ」、「配信時間」、「課金額」といった項目を有する。なお、図４に示すように、広告装置１００は、複数の映画館管理装置から広告枠に関する情報を取得しているものとする。
【００３３】
「映画館」は、広告コンテンツが配信される映画館の名称を示す。例えば、映画館「ＴＨ１」と映画館「ＴＨ２」は異なる映画館の名称を示し、集客力や客層が異なることがある。このため、同じ映画に組み込まれる広告枠であっても、映画館によって課金額が異なることがある。また、図示は省略したが、「映画館」には、映画館の名称のみならず、映画館の所在地等の施設情報が含まれてもよい。
【００３４】
「スクリーン」は、映画館における、映画を投射できるスクリーンと観客席を備えた上映室を示す。図４において、映画館「ＴＨ１」におけるスクリーン「ＳＣ１」とスクリーン「ＳＣ２」は異なる上映室を示しており、上映される映画や座席数が異なることがある。
【００３５】
「座席数」は、上映場所に備えられた観客席の数であり、観客を収容することのできる数を示す。座席数はスクリーンごとに異なる場合がある。
【００３６】
「本編タイトル」は、映画館で上映される映画（コンテンツの一例）のタイトルを示す。例えば、本編タイトル「Ｍ１」と本編タイトル「Ｍ２」とは異なる本編コンテンツを示し、集客力や客層が異なることがある。このため、同じ映画館における広告枠であっても、本編タイトルが異なれば、課金額が異なることがある。また、図示は省略したが、「本編タイトル」の項目が含む情報には、映画のタイトルのみならず、かかる映画に関するコンテンツ情報が含まれてもよい。コンテンツ情報には、例えば、予め想定される主な観客の客層（例えば、性別や年齢層）や、主演キャストや、他国での同一タイトルにおける動員数や、インターネットにおける評判（例えば、検索クエリの上昇数）などの情報が含まれる。
【００３７】
「配信日程」は、映画館において広告コンテンツが配信される日時を示す。ここで配信とは、ネットワークを通じて広告コンテンツが配信されることのみならず、広告コンテンツが映画館で上映されることにより、観客に広告コンテンツが視聴されることも含む概念である。図４に示した例では、配信日程を広告配信の開始時刻として、広告枠順に、指定されたスクリーンにて広告が配信される。
【００３８】
「広告枠ＩＤ」は、広告コンテンツが提供される枠である広告枠を識別するための識別情報を示す。例えば、映画館装置２０は、広告装置１００に対し、広告枠ＩＤ「Ｃ１１１」によって識別される広告枠で配信する広告コンテンツについて取得要求をすることができる。なお、以下では、図４に示した広告枠ＩＤに記憶されている識別情報を広告枠の参照符号として用いる場合がある。例えば、以下では、広告枠ＩＤ「Ｃ１１１」によって識別される広告枠を「広告枠Ｃ１１１」と表記する場合がある。
【００３９】
「配信時間」は、映画館で広告コンテンツを配信する時間長を示す。図４の例では、配信時間の単位は秒とする。例えば、広告枠Ｃ１１１には、配信時間として「１５秒」が割り当てられていることを示す。
【００４０】
「課金額」は、映画館での広告提供に対して課金される価格を示す。具体的には、課金額は、映画館での広告提供に関する権利の販売サービスにおいて、任意の広告枠で広告コンテンツが提供された場合に、広告主が課金される価格を示す。
【００４１】
すなわち、図４では、広告枠Ｃ１１１が、映画館「ＴＨ１」で上映される本編タイトル「Ｍ１」である映画に組み込まれる広告枠である例を示している。このとき、広告枠Ｃ１１１に対応する広告コンテンツは、映画館「ＴＨ１」内の座席数「２００」である「ＳＣ１」スクリーンにて、「２０１４年２月１０日９時００分００秒」から「１５秒」間だけ上映される。また、図４では、広告枠Ｃ１１１における広告コンテンツの提供に対して、「１００００円」が課金されることなどを示している。
【００４２】
〔３−４．広告コンテンツ記憶部〕
広告コンテンツ記憶部１２２は、広告主端末１０から入稿された広告コンテンツに関する情報を記憶する。具体的には、広告コンテンツ記憶部１２２は、後述する提供部１３２によって提供された販売サービスを利用する広告主と、かかる広告主が入稿する広告コンテンツに関する情報と、かかる広告コンテンツに設定される提供条件とを記憶する。ここで、図５に、実施形態に係る広告コンテンツ記憶部１２２の一例を示す。図５に示した例では、広告コンテンツ記憶部１２２は、「広告主ＩＤ」、「広告コンテンツＩＤ」、「宣伝内容」、「施設条件」、「本編条件」、「対象」、「分野」、「配信時間」、「地域」、「タイトル」といった項目を有する。
【００４３】
「広告主ＩＤ」は、広告主又は広告主端末１０を識別するための識別情報を示す。「広告コンテンツＩＤ」は、広告主端末１０から広告装置１００に入稿された広告コンテンツを識別するための識別情報を示す。また、図示は省略するが、実施形態に係る広告コンテンツ記憶部１２２は、実際に映画館に配信される広告コンテンツのデータを記憶する。具体的には、実施形態に係る広告コンテンツ記憶部１２２は、映画館で上映される動画像等で構成される広告コンテンツのデータを記憶する。
【００４４】
なお、実際に映画館に配信される広告コンテンツのデータは、広告装置１００とは別に備えられた広告配信サーバに記憶されてもよい。この場合、広告装置１００は、広告コンテンツ記憶部１２２に記憶された広告コンテンツＩＤに基づいて、外部の広告配信サーバに記憶された広告コンテンツのデータを特定する。そして、広告装置１００は、広告配信サーバに対して、特定された広告コンテンツのデータを映画館に対して配信するよう制御する。
【００４５】
「宣伝内容」は、入稿された広告コンテンツの内容についての概要を示す。「宣伝内容」には、「対象」、「分野」、「配信時間」の項目が含まれる。「対象」は、広告コンテンツが宣伝する内容について、対象とする属性を示す。例えば、「対象」には視聴者となる観客の属性である性別や年齢層が含まれる。「分野」は、広告コンテンツの宣伝内容が属する商品等の分野を示す。「配信時間」は、映画館で広告コンテンツを配信するために必要な時間長を示す。
【００４６】
「施設条件」は、入稿された広告コンテンツに設定される提供条件のうち、広告コンテンツが提供される施設に関する条件を示す。「施設条件」には、「地域」などの項目が含まれる。「地域」は、広告コンテンツを提供する映画館の所在地等を指定する提供条件の一つである。「地域」は、例えば都道府県や、任意の一地方の名称である。また、「地域」には、映画館の所在地等のみならず、映画館の名称も含まれる。すなわち、「地域」には、具体的な映画館の名称も含まれる。その他、「施設条件」には、広告コンテンツが組み込まれる映画が提供される日時や、広告コンテンツが提供されるスクリーンにおける座席数などを指定する項目を有していてもよい。
【００４７】
「本編条件」は、入稿された広告コンテンツに設定される提供条件のうち、広告コンテンツとともに提供される本編コンテンツに関する条件を示す。ここでは、本編コンテンツとは映画を示す。「本編条件」には、「タイトル」などの項目が含まれる。「タイトル」は、映画のタイトルを示す。その他、「本編条件」には、アクションやドラマなど、映画を分類したジャンルや、主演キャストなどを指定する項目を有していてもよい。
【００４８】
すなわち、図５では、広告主ＩＤ「ＣＬ１１」によって識別される広告主が、広告コンテンツＩＤ「Ａ１１」によって識別される広告コンテンツを入稿している例を示している。また、広告コンテンツＩＤ「Ａ１１」によって識別される広告コンテンツの宣伝内容は、「男性向け」の「自動車」分野に関するものであり、時間長は「１５秒」であることを示している。また、広告コンテンツＩＤ「Ａ１１」によって識別される広告コンテンツには、提供される映画館は「関東」地域に所在することが施設条件として設定されており、組み込まれる映画のタイトルは「Ｍ１」であることが本編条件として設定されていることなどを示している。
【００４９】
〔３−５．取得要求記憶部〕
取得要求記憶部１２３は、映画館装置２０から送信された広告コンテンツの取得要求に関する情報を記憶する。具体的には、取得要求記憶部１２３は、広告コンテンツの取得要求に関する情報として、広告コンテンツに対する要求条件の内容を記憶する。ここで、図６に、実施形態に係る取得要求記憶部１２３の一例を示す。図６に示した例では、取得要求記憶部１２３は、「広告枠ＩＤ」、「内容条件」、「分野条件」、「時間条件」といった項目を有する。
【００５０】
「広告枠ＩＤ」は、図４に示した広告枠ＩＤに対応する。「内容条件」は、映画館側が広告コンテンツに求める内容についての条件を示す。具体的には、「内容条件」は、広告コンテンツが宣伝対象とする視聴者の属性や年齢層の指定を示す。
【００５１】
「分野条件」は、映画館側が広告コンテンツに求める内容の属する分野を示す。具体的には、「分野条件」は、広告コンテンツが宣伝対象とする商品やサービス等の属する分野の指定を示す。
【００５２】
「時間条件」は、映画館側が広告コンテンツに求める時間長を示す。「時間条件」は、広告枠ごとに定められており、図４に示す広告枠にかかる「配信時間」に対応する。
【００５３】
すなわち、図６では、映画館装置２０が、広告枠「Ｃ１１１」について、「女性向け」であり「美容」分野を宣伝する内容であって、「１５秒」の時間長であるという各条件を満たす広告コンテンツを取得する旨の要求を送信している例などを示している。
【００５４】
〔３−６．制御部〕
制御部１３０は、例えば、ＣＰＵ（Central  Processing  Unit）やＭＰＵ（Micro  Processing  Unit）等によって、広告装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５５】
図３に示すように、制御部１３０は、取得部１３１と、提供部１３２と、入稿受付部１３３と、要求受付部１３４と、変換部１３５と、配信部１３６と、算定部１３７とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５６】
〔３−７．取得部〕
取得部１３１は、映画館装置２０により提供される広告枠に関する情報を取得し、かかる情報を広告枠記憶部１２１に記憶させる。具体的には、取得部１３１は、広告枠に関する情報として、「映画館」、「スクリーン」、「座席数」、「本編タイトル」、「配信日程」、「広告枠ＩＤ」、「配信時間」等の情報を広告枠記憶部１２１に記憶させる。
【００５７】
なお、取得部１３１は、映画館装置２０により提供される情報に限られず、他の広告枠に関する情報を取得し、かかる情報を広告枠記憶部１２１に記憶させることもできる。例えば、広告枠にかかる「課金額」は、広告装置１００の管理者により設定されることがある。この場合、取得部１３１は、広告装置１００の管理者により入力される入札価格を広告枠に関する情報として取得する。
【００５８】
また、取得部１３１は、広告枠記憶部１２１に既に記憶されている広告枠に関する情報を更新することもできる。例えば、広告枠の組み込まれた映画が別のタイトルに差し替わる場合、映画館装置２０は、広告枠に関する情報における「本編タイトル」項目を変更する。この場合、取得部１３１は、映画館装置２０から新たな情報を取得し、広告枠記憶部１２１に記憶されている情報を更新する。
【００５９】
〔３−８．提供部〕
提供部１３２は、広告主端末１０に広告枠に関する情報を提示するとともに、映画館での広告提供に関する権利の販売サービスを提供する。
【００６０】
すなわち、提供部１３２は、広告主端末１０に対して、広告枠に関する情報として映画館に関する施設情報や、映画館で上映される映画に関するコンテンツ情報を提示するとともに、映画館での広告提供に関する権利の販売サービスを提供する。具体的には、提供部１３２は、施設情報として映画館が所在する地域や映画が上映される時間に関する情報などを提示する。また、提供部１３２は、コンテンツ情報として映画の題名又は内容に関する情報などを提示する。これらの施設情報及びコンテンツ情報は、広告枠記憶部１２１に記憶されている「広告枠ＩＤ」毎の「映画館」、「本編タイトル」、「配信日程」、「配信時間」などに対応する。また、コンテンツ情報には、映画の上映において想定される主な観客の客層などの情報が含まれる場合がある。
【００６１】
なお、提供部１３２は、映画館で映画が初めて上映される前に販売サービスを提供するだけでなく、映画館で映画が初めて上映された後にも販売サービスを提供してもよい。具体的には、映画館で映画が初めて上映される前に、映画に組み込まれる広告枠のすべてに提供される広告コンテンツが決定しているとは限らない。一般に、映画は数週間にわたる上映期間が設けられるため、映画館で映画が初めて上映された後であっても、映画館での広告提供に関する権利への入札は、随時行われてよい。この場合、提供部１３２は、広告枠に関する情報として、広告枠にかかる映画における実際の動員数や主な観客層などのコンテンツ情報をさらに提示することができる。
【００６２】
〔３−９．入稿受付部〕
入稿受付部１３３は、映画館において映画とともに提供される広告コンテンツの入稿を受け付ける。具体的には、入稿受付部１３３は、提供部１３２によって提供される販売サービスを利用する広告主端末１０から、かかる販売サービスに対する入札を受け付けるとともに、映画館において映画とともに提供される広告コンテンツの入稿を受け付ける。そして、入稿受付部１３３は、広告主端末１０に対応する広告主ＩＤと広告コンテンツＩＤとを対応付けて広告コンテンツ記憶部１２２に記憶する。
【００６３】
また、入稿受付部１３３は、広告主端末１０に提供条件を指定させ、指定された提供条件と広告コンテンツＩＤとを対応付けて広告コンテンツ記憶部１２２に記憶する。以下に、広告主端末１０が、映画のタイトルを指定して広告コンテンツを入稿する具体例について説明する。ここでは、広告主が、本編タイトル「Ｍ１」の映画に組み込まれる広告枠で広告コンテンツを提供させることを所望したとする。この場合、広告主端末１０は、提供条件として本編タイトル「Ｍ１」を指定するとともに提供を所望する広告コンテンツを入稿する。入稿受付部１３３は、本編タイトル「Ｍ１」を指定した提供条件と広告コンテンツＩＤ「Ａ１１」とを対応付けて広告コンテンツ記憶部１２２に記憶する。
【００６４】
なお、入稿受付部１３３は、本編タイトルの指定に加えて、映画館の所在地域(例えば、一地方にのみ広告コンテンツを提供したい場合)や、広告枠の組み込まれる映画の配信日程（例えば、ある一週間のみ広告コンテンツを提供したい場合）などの施設条件についても提供条件として受け付けることできる。ここでは、広告主が、関東に所在する映画館にかかる広告枠で広告コンテンツを提供させることを所望したとする。この場合、広告主端末１０は、提供条件の一つである施設条件として地域「関東」を指定するとともに提供を所望する広告コンテンツを入稿する。そして、入稿受付部１３３は、地域「関東」を指定した提供条件と広告コンテンツＩＤ「Ａ１１」とを対応付けて広告コンテンツ記憶部１２２に記憶する。
【００６５】
また、入稿受付部１３３は、広告コンテンツの入稿と上記の提供条件を受け付けるとともに、広告コンテンツの宣伝内容についても受け付ける。図５に示すように、入稿受付部１３３は、宣伝内容を広告主ＩＤと広告コンテンツＩＤとに対応付けて、広告コンテンツ記憶１２２に記憶する。この場合、かかる宣伝内容は、広告主側が予め設定しておいてもよいし、広告装置１００の管理者等により設定されてもよい。
【００６６】
〔３−１０．要求受付部〕
要求受付部１３４は、映画館側から広告コンテンツの取得要求を受け付ける。具体的には、要求受付部１３４は、映画館装置２０から、映画館で提供する広告コンテンツについての要求条件とともに、入稿受付部１３３が受け付けた広告コンテンツの中から映画館で提供させる広告コンテンツを取得する旨の要求を受け付ける。
【００６７】
そして、要求受付部１３４は、広告枠ごとに設定された要求条件と広告枠ＩＤとを対応付けて、取得要求記憶部１２３に記憶する。以下に、映画館装置２０が、映画館で提供する広告コンテンツについて取得要求を送信する具体例について説明する。ここでは、映画館装置２０が、広告枠「Ｃ１１１」で提供する広告コンテンツについて、「女性向け」であり「美容」分野を宣伝する内容であって「１５秒」の時間長であるという要求条件を設定したとする。この場合、映画館装置２０は、広告枠Ｃ１１１で広告コンテンツを提供する日時の所定時刻前に、広告枠Ｃ１１１に関する情報と要求条件とを対応付けた取得要求を要求受付部１３４に送信する。映画館装置２０は、かかる取得要求を受け付け、広告枠Ｃ１１１に対応する広告枠ＩＤと取得要求を対応付けた情報を取得要求記憶部１２３に記憶する。
【００６８】
〔３−１１．変換部〕
変換部１３５は、入稿された広告コンテンツに変換処理を行う。具体的には、変換部１３５は、映画館で提供される広告コンテンツを映画館に配信する前に、上映される映画館の上映設備に広告コンテンツが適合するか否かを検出し、適合しない場合は適切な形式に広告コンテンツを変換する。
【００６９】
例えば、変換部１３５は、入稿された広告コンテンツである動画像を、デジタルシネマ上映用のデータフォーマットであるＤＣＰ（Digital  Cinema  Package）に変換する。そして、変換部１３５は、適切な形式に変換された広告コンテンツを後述する配信部１３６に提供する。
【００７０】
一般的に、広告主は、広告コンテンツの入稿に際し入稿先の設備に対応した形式で広告コンテンツを入稿することが求められる。一方、実施形態に係る変換部１３５は、配信先の映画館に合わせて入稿された広告コンテンツを変換処理する。このため、広告主は、入稿受付部１３３が受け付けることのできる所定の形式で広告コンテンツを入稿しさえすれば、配信先に合わせた形式の広告コンテンツを準備することを要しない。
【００７１】
なお、ＤＣＰ変換には相当の時間を要するため、実施形態に係る変換部１３５は、広告コンテンツが入稿された場合、直ちに広告コンテンツをＤＣＰ変換し、変換後のデータを広告コンテンツ記憶部１２２に記憶することもできる。この場合、配信部１３６は、映画館で提供する広告コンテンツが決定したときには、ＤＣＰ変換に要する時間を待たず、直ちに広告コンテンツのデータを映画館装置２０に配信することができる。
【００７２】
〔３−１２．配信部〕
配信部１３６は、入稿受付部１３３によって受け付けられた広告コンテンツのうち、要求受付部１３４によって受け付けられた取得要求に対応する広告コンテンツを映画館装置２０に配信する。
【００７３】
具体的には、配信部１３６は、入稿受付部１３３が受け付けた提供条件を広告コンテンツ記憶部１２２から取得する。また、配信部１３６は、要求受付部１３４が受け付けた要求条件を取得要求記憶部１２３から取得する。そして、配信部１３６は、双方の条件の項目について合致するか否かの判定を行い、かかる広告枠で提供されるべき広告コンテンツを抽出する。続いて、配信部１３６は、抽出された広告コンテンツの中から最も条件に合致する広告コンテンツを映画館装置２０に配信する。なお、実施形態に係る配信部１３６は、上記の判定処理において提供条件と要求条件が合致しない場合は、判定基準を適宜変更するなどして判定処理することができる。例えば、実施形態に係る配信部１３６は、提供条件と要求条件を合致させる項目数を適宜減じることができる。これにより、実施形態に係る配信部１３６は、提供条件と要求条件の合致する広告コンテンツを抽出しやすくすることができる。
【００７４】
以下に、実施形態に係る配信部１３６が、提供条件と要求条件との合致を判定する具体例について、図４、図５及び図６を用いて説明する。まず、配信部１３６は、広告枠Ｃ１１１に対する要求条件として、図６に示すように、内容条件が「女性向け」であり、分野条件が「美容」であり、時間条件が「１５秒」が設定された取得要求を取得要求記憶部１２３から取得する。ここで、配信部１３６は広告コンテンツ記憶部１２２に記憶された広告コンテンツを参照する。そして、配信部１３６は、宣伝内容として、図５に示すように、対象が「女性向け」であり、分野が「化粧品」であり、配信時間が「１５秒」である広告コンテンツＩＤ「Ａ１２」で識別される広告コンテンツを抽出する。
【００７５】
続いて、配信部１３６は、広告コンテンツＩＤ「Ａ１２」で識別される広告コンテンツにかかる提供条件を参照する。ここで、広告コンテンツＩＤ「Ａ１２」で識別される広告コンテンツには、施設条件として、図５に示すように、地域「東京」が、本編条件としてタイトル「Ｍ１、Ｍ２」がそれぞれ設定されている。配信部１３６は、かかる提供条件と広告枠Ｃ１１１に関する情報を照らし合わせ、広告枠Ｃ１１１で提供することが適するか否かを判定する。この場合、図４に示すように、広告枠Ｃ１１１にかかる本編タイトルは「Ｍ１」であるから、本編条件を満たす。すなわち、映画館「ＴＨ１」が東京に所在し、施設条件である地域「東京」を満たすのであれば、配信部１３６は、広告コンテンツＩＤ「Ａ１２」で識別される広告コンテンツを広告枠Ｃ１１１で提供されるに適するものと判定する。そして、配信部１３６は、広告コンテンツＩＤ「Ａ１２」で識別される広告コンテンツを映画館装置２０に配信する。
【００７６】
なお、実施形態に係る配信部１３６は、任意の広告枠について提供条件と要求条件とが合致する広告コンテンツが抽出されない場合、予め設定されているコンテンツ（例えば、映画の予告編など）をかかる広告枠で提供するよう、映画館装置２０に通知することもできる。これにより、映画館側は、広告枠で提供するコンテンツが存在しないというような空白の時間を作らないようにすることができる。また、配信部１３６は、枠を予め広告主が抑えていない場合のシネアド特有の広告リスティング手法、いわゆるどの広告を優先的に配信するか決定するための広告評価指標として、広告単価、ターゲティング条件のマッチング度合い、シネアドに対応するネット広告の広告評価（例えばＣＴＲ（Click  Through  Rate）やＣＶＲ（Conversion  Rate）など）、劇場に居合わせたユーザの属性が持ちうる仮想ＣＴＲなどを単体で、もしくは足したり掛け合わせたりなどして用いることができる。
【００７７】
また、配信部１３６は、変換部１３５によって適切な形式に変換された広告コンテンツがある場合は、適切な形式に変換された広告コンテンツを映画館装置２０に配信する。
【００７８】
〔３−１３．算定部〕
算定部１３７は、提供部１３２の提供する販売サービスにおいて、広告枠に入札した広告主に課金する料金を算定する。
【００７９】
具体的には、実施形態に係る算定部１３７は、映画館で広告コンテンツが提供された後に、実際に映画館で提供された広告コンテンツに関する情報を映画館装置２０から取得する。なお、実施形態に係る算定部１３７は、映画館装置２０に問い合わせることにより情報を取得してもよいし、映画館装置２０から通知を受けることにより、実際に映画館で提供された広告コンテンツに関する情報を取得してもよい。そして、実施形態に係る算定部１３７は、実際に映画館で提供された広告コンテンツに関する情報に基づいて、広告枠記憶部１２１に記憶された広告枠ＩＤと、かかる広告枠の課金額と、広告コンテンツ記憶部１２２に記憶された広告主ＩＤとを参照し、広告主に課金する料金を算定する。その後、実施形態に係る算定部１３７は、算定した課金額を広告主に通知する。
【００８０】
〔４．映画館装置の構成〕
次に、図７を用いて、実施形態に係る映画館装置２０の構成について説明する。図７は、実施形態に係る映画館装置２０の構成例を示す図である。図７に示すように、映画館装置２０は、通信部２１０と、枠情報記憶部２２１と、広告情報記憶部２２２と、制御部２３０とを有する。なお、映画館装置２０は、映画館装置２０を利用する管理者等から各種操作を受け付ける入力部や、各種情報を表示するための表示部を有してもよい。
【００８１】
通信部２１０は、例えば、ＮＩＣ等によって実現される。通信部２１０は、ネットワークＮと有線又は無線で接続され、ネットワークＮを介して、広告装置１００や広告主端末１０との間で情報の送受信を行う。
【００８２】
枠情報記憶部２２１及び広告情報記憶部２２２は、例えば、ＲＡＭ、フラッシュメモリ等の半導体メモリ素子、または、ハードディスク、光ディスク等の記憶装置によって実現される。
【００８３】
枠情報記憶部２２１は、広告枠に関する情報を記憶する。ここで、枠情報記憶部２２１の記憶する広告枠に関する情報は、図４に示す広告枠記憶部１２１が記憶する情報に対応する。すなわち、枠情報記憶部２２１の記憶する広告枠に関する情報とは、取得部１２１へ送信する情報を意味する。例えば、枠情報記憶部２２１は、図４に例示した「映画館」、「スクリーン」、「座席数」、「本編タイトル」、「配信日程」、「広告枠ＩＤ」、「配信時間」といった広告枠にかかる情報を記憶する。
【００８４】
広告情報記憶部２２２は、配信部１３６から配信される情報を記憶する。すなわち、広告情報記憶部２２２の記憶する情報は、図５に示す広告コンテンツ記憶部１２２の記憶する情報に対応する。具体的には、広告情報記憶部２２２は、広告主端末１０から入稿された広告コンテンツに関する情報を記憶する。例えば、広告情報記憶部２２２は、図５に例示した「広告主ＩＤ」、「広告コンテンツＩＤ」、「宣伝内容」、「施設条件」、「本編条件」といった広告コンテンツに関する情報を記憶する。
【００８５】
制御部２３０は、例えば、ＣＰＵやＭＰＵ等によって、映画館装置２０内部の記憶装置に記憶されている各種プログラムがＲＡＭを作業領域として実行されることにより実現される。また、制御部２３０は、例えば、ＡＳＩＣやＦＰＧＡ等の集積回路により実現される。
【００８６】
図７に示すように、制御部２３０は、送信部２３１と、設定部２３２と、受信部２３３と、提供部２３４とを有し、以下に説明する情報処理の機能や作用を実現または実行する。なお、制御部２３０の内部構成は、図７に示した構成に限られず、後述する情報処理を行う構成であれば他の構成であってもよい。また、制御部２３０が有する各処理部の接続関係は、図７に示した接続関係に限られず、他の接続関係であってもよい。
【００８７】
送信部２３１は、映画とともに提供される広告コンテンツにかかる広告枠に関する情報を、映画館での広告提供に関する権利の販売サービスを提供する広告装置１００に送信する。具体的には、送信部２３１は、枠情報記憶部２２１に記憶されている広告枠に関する情報を広告装置１００に送信する。また、送信部２３１は、後述する設定部２３２の設定する広告コンテンツの取得要求を広告装置１００に送信する。
【００８８】
設定部２３２は、広告装置１００から配信を受ける広告コンテンツについて、取得にあたっての条件を設定する。具体的には、設定部２３２は、任意の広告枠で広告コンテンツを提供する時刻の所定時間前に、広告装置１００から配信を受ける広告コンテンツについて、取得にあたっての条件を設定する（ステップＳ１３）。具体的には、映画館装置２０は、取得したい広告コンテンツの内容や、広告コンテンツの属する分野や、広告コンテンツの時間長などを要求条件として設定する。かかる要求条件は、映画館装置２０の管理者によって設定されてもよいし、映画館装置２０に組み込まれたプログラムにより自動で設定されてもよい。
【００８９】
受信部２３３は、広告枠に関する情報を受信した広告装置１００から、映画館での広告提供に関する権利に入札した広告主に対応する広告コンテンツと、対応する広告枠に関する情報を受信する。具体的には、受信部２３２は、配信部１３６から配信された広告コンテンツ記憶部１２２に記憶されている広告コンテンツに関する情報を受信する。また、受信部２３３は、受信した広告コンテンツに関する情報を広告情報記憶部２２２に記憶する。
【００９０】
提供部２３４は、広告情報記憶部２２２に記憶されている広告コンテンツに関する情報に基づいて、映画館に備えらえる上映設備（例えばビデオプロジェクタ）に広告コンテンツを送信することで、映画館で広告コンテンツを提供する。具体的には、提供部２３４は、広告コンテンツに関する情報に基づいて広告コンテンツの上映場所や上映日時を検出し、適切なタイミングで広告コンテンツを上映設備に送信する。そして、提供部２３４は、上映設備を用いてスクリーンに広告コンテンツを投影させることで、映画館に来場した観客に広告コンテンツを提供する。
【００９１】
〔５．配信処理手順〕
次に、図８、図９を用いて、実施形態に係る広告装置１００による配信処理の手順について説明する。図８、図９は、広告装置１００による配信処理の手順を示すフローチャートである。以下においては、図８を参照して広告装置１００による広告コンテンツの入稿受付処理を説明し、図９を参照して広告装置１００による広告コンテンツの配信処理を説明する。
【００９２】
まず、図８を用いて、実施形態に係る広告装置１００による広告コンテンツの入稿受付処理について説明する。図８は、実施形態に係る広告装置１００による広告コンテンツの入稿受付処理手順を示すフローチャートである。
【００９３】
図８に示すように、取得部１３１は、映画館装置２０から、広告枠に関する情報について取得したか否かを判定する（ステップＳ１０１）。そして、取得部１３１は、映画館装置２０から広告枠に関する情報について取得していない場合（ステップＳ１０１；Ｎｏ）、取得するまで待機する。
【００９４】
一方、映画館装置２０から広告枠に関する情報を取得した場合（ステップＳ１０１；Ｙｅｓ）、取得部１３１は、広告枠に関する情報を広告枠記憶部１２１に記憶する（ステップＳ１０２）。
【００９５】
次に、提供部１３２は、広告枠に関する情報について広告主端末１０からアクセスがあったか否かを判定する（ステップＳ１０３）。そして、提供部１３２は、広告主端末１０からアクセスのない場合（ステップＳ１０３；Ｎｏ）、広告主端末１０からアクセスがあるまで待機する。
【００９６】
一方、広告主端末１０からアクセスのあった場合（ステップＳ１０３；Ｙｅｓ）、提供部１３２は広告枠に関する情報を広告主端末１０に提示する（ステップＳ１０４）。
【００９７】
その後、入稿受付部１３３は、映画館での広告提供に関する権利の販売サービスへ入札する広告主端末１０から、映画館で提供する広告コンテンツについての提供条件とともに、広告コンテンツの入稿を受け付けたか否かを判定する（ステップＳ１０５）。そして、入稿受付部１３３は、入稿を受け付けていない場合（ステップＳ１０５；Ｎｏ）、入稿を受け付けるまで待機する。
【００９８】
一方、入稿受付部１３３が提供条件とともに広告コンテンツの入稿を受け付けた場合（ステップＳ１０５；Ｙｅｓ）、入稿受付部１３３は、提供条件と広告コンテンツとを対応付けて広告コンテンツ記憶部１２２に記憶する（ステップＳ１０６）。以上により、広告装置１００による広告コンテンツの入稿受付処理は完了する。
【００９９】
次に、図９を用いて、実施形態に係る広告装置１００による広告コンテンツの配信処理を説明する。図９は、実施形態に係る広告装置１００による広告コンテンツの配信処理手順を示すフローチャートである。
【０１００】
図９に示すように、要求受付部１３４は、映画館装置２０から広告枠で提供する広告コンテンツに関する取得要求を受け付けたか否かを判定する（ステップＳ２０１）。そして、要求受付部１３４は、取得要求を受け付けていない場合（ステップＳ２０１；Ｎｏ）、取得要求を受け付けるまで待機する。
【０１０１】
一方、要求受付部１３４によって、取得要求が受け付けられた場合（ステップＳ２０１；Ｙｅｓ）、要求受付部１３４は、広告枠に関する情報と取得要求とを対応付けて取得要求記憶部１２３に記憶する（ステップＳ２０２）。
【０１０２】
その後、配信部１３６は、広告コンテンツ記憶部１２２に記憶されている提供条件と、取得要求記憶部１２３に記憶されている要求条件との合致の判定処理を行う（ステップＳ２０３）。そして、双方の条件が合致しない場合（ステップＳ２０３；Ｎｏ）、配信部１３６は、条件を判定する項目数などを調整して（ステップＳ２０４）、再び判定処理を行う。
【０１０３】
一方、配信部１３６による判定処理によって双方の条件が合致したと判定された場合（ステップＳ２０３；Ｙｅｓ）、配信部１３６は、合致した広告コンテンツを映画館で提供する広告コンテンツとして決定する（ステップＳ２０５）。
【０１０４】
そして、配信部１３６は、決定した広告コンテンツを映画館装置２０に配信する（ステップＳ２０６）。以上により、広告装置１００による広告コンテンツの配信処理は完了する。
【０１０５】
〔６．変形例〕
上述した広告装置１００は、上記実施形態以外にも種々の異なる形態にて実施されてよい。そこで、以下では、広告装置１００の他の実施形態について説明する。
【０１０６】
〔６−１．配信タイミング〕
上述した実施形態に係る配信処理において、配信部１３６は、提供条件と要求条件を合致させることにより映画館で提供する広告コンテンツを決定し、広告コンテンツを配信する例を示した。しかし、配信部１３６は、事前に広告コンテンツを映画館装置２０に配信しておき、その後、提供させる広告コンテンツの情報のみを映画館装置２０に配信し、映画館で広告コンテンツを提供させることもできる。この点について、図１０を用いて説明する。
【０１０７】
図１０は、変形例に係る広告装置１００による配信処理の一例を示す図である。なお、図１０に示すステップＳ２０、ステップＳ２１及びステップＳ２２は、図１に示すステップＳ１０、ステップＳ１１及びステップＳ１２と対応するため、説明を省略する。
【０１０８】
ここで、配信部１３６は、入稿受付部１３３が提供条件とともに広告コンテンツの入稿を受け付けた後に（ステップＳ２２）、広告コンテンツが提供される予定である映画館に対して、広告コンテンツのデータを配信する（ステップＳ２３）。ここで、広告コンテンツが提供される予定である映画館とは、提供条件における施設条件の地域にかかる項目に該当する映画館である。すなわち、配信部１３６は、映画館装置２０から取得要求を受け付ける前に、広告コンテンツのデータを映画館装置２０に配信する。なお、配信される広告コンテンツについて変換部１３５が変換した後のデータがある場合は、配信部１３６は、変換後の広告コンテンツのデータを映画館装置２０に配信する。
【０１０９】
そして、映画館装置２０は、配信された広告コンテンツを格納する（ステップＳ２４）。この場合、映画館装置２０は、映画館装置２０自体の記憶領域に広告コンテンツを格納してもよいし、別に備えられたデータストレージ装置等に広告コンテンツを格納してもよい。
【０１１０】
この後の、図１０に示すステップＳ２５、ステップＳ２６及びステップＳ２７は、図１に示すステップＳ１３、ステップＳ１４及びステップＳ１５と対応するため、説明を省略する。
【０１１１】
そして、配信部１３６は、提供条件と要求条件の合致した広告コンテンツに関する情報を映画館装置２０に配信する（ステップＳ２８）。この場合、広告コンテンツのデータは事前に配信されているため、配信部１３６は、映画館で提供する広告コンテンツを識別するための識別情報を配信するのみでよい。
【０１１２】
続いて、映画館装置２０は配信された広告コンテンツの識別情報に基づいて、格納されている広告コンテンツを特定する。そして、映画館装置２０は、特定された広告コンテンツを通知された広告コンテンツの情報に対応する広告枠で提供する（ステップＳ２９）。その後の、図１０に示すステップＳ３０及びステップＳ３１は、図１に示すステップＳ１８及びステップＳ１９と対応するため、説明を省略する。以上で、変形例に係る広告装置１００による配信処理は終了する。
【０１１３】
このように、変形例に係る配信部１３６は、入稿受付部１３３によって広告コンテンツの入稿が受け付けられた場合に、かかる広告コンテンツを映画館装置２０へ事前に配信し、要求受付部１３４によって取得要求が受け付けられた場合に、かかる広告コンテンツに関する情報として、取得要求に対応する広告コンテンツを識別するための識別情報を映画館装置２０へ配信する。
【０１１４】
これにより、変形例に係る広告装置１００は、映画館装置２０からの取得要求に対応して、広告コンテンツを映画館で提供させることができる。具体的には、変形例に係る広告装置１００は、事前に広告コンテンツのデータを映画館に配信しているため、提供条件と要求条件の合致の判定処理をしてから広告コンテンツを映画館で実際に配信するまでに、広告コンテンツのデータの配信にかかる時間を要さない。
【０１１５】
一般に、映画館で提供される広告コンテンツは、高画質な動画像で構成されておりデータ容量が大きい。このため、映画館で提供される広告コンテンツは、ネットワークＮを介する配信において相当の時間を要する。また、変換部１３５は、上述したように、広告コンテンツを映画館で提供するために変換処理（例えばＤＣＰ変換）をするが、かかる変換処理についても相当の時間を要する。以上のように、映画館で提供される広告コンテンツが映画館に配信されるまでには相当の時間を要する。このため、通常、広告コンテンツのデータは変換処理等を施された状態でストレージ（例えばハードディスクなど）に保存され、ストレージの形態で運搬されることにより映画館に持ち込まれる。この場合、映画館装置２０から取得要求がなされたタイミングでは、広告コンテンツ自体が映画館に存在せず、映画館での広告コンテンツの提供を即時にすることはできない。
【０１１６】
一方、上記のように、変形例に係る広告装置１００は、事前に広告コンテンツのデータを映画館に配信しているため、映画館から取得要求を受け付けて広告コンテンツを映画館で実際に配信するまでに、広告コンテンツのデータの配信にかかる時間を要さない。この結果、変形例に係る広告装置１００は、配信する広告コンテンツの決定を、実際に映画館で広告コンテンツが配信される数秒前にすることができる。
【０１１７】
これは、変形例に係る広告装置１００は、リアルタイムな広告配信処理をすることができることを示す。具体的には、変形例に係る広告装置１００は、実際に広告コンテンツが配信される映画館の動員状況や観客の属性などに応じて、提供する広告コンテンツを決定することができる。以下に、映画館における実際の動員数と観客の属性に関する情報の取得について説明する。
【０１１８】
例えば、映画館（例えば、映画館装置２０）は、チケットを販売する販売端末から得られる情報に基づいて、動員数を求めることができる。ただし、この例に限られず、映画館には、例えば、映画館に実際に来場した観客の情報を取得するための観客情報取得装置が設けられる。この観客情報取得装置は、例えば、カメラ、アクセスポイントなどの少なくとも一つ以上の機器に該当する。観客情報取得装置にカメラが含まれる場合には、このカメラは、例えば、映画館内を撮像する。これにより、映画館装置２０は、観客情報取得装置により撮像された画像から動員数を求めることができる。また、観客情報取得装置にアクセスポイントが含まれる場合には、このアクセスポイントは、Ｗｉｆｉ（Wireless  Fidelity）（登録商標）などの無線通信により、個々の観客が保持する携帯端末と通信する。これにより、映画館装置２０は、観客情報取得装置と通信された携帯端末の台数を計数することで動員数を求めることができる。
【０１１９】
また、映画館は、上述した観客情報取得装置により観客の属性を取得することができる。例えば、観客情報取得装置にカメラが含まれる場合には、このカメラは、例えば、映画館内に設けられた座席に座った観客の顔の画像が撮像可能な位置に設けられ、個々の観客の顔の画像を撮像して取得し、取得した観客の顔の画像から観客の属性を取得する。また、観客情報取得装置に上述したアクセスポイントが含まれる場合には、個々の観客が保持する携帯端末から送信された観客ＩＤを取得し、取得した観客ＩＤに紐づけられる個人情報を観客の属性として取得する。この例の場合、映画館装置２０がアクセス可能な所定のサーバ装置は、観客ＩＤに対応付けて観客の属性情報を記憶するものとする。また、観客情報取得装置に網膜スキャナ装置が含まれる場合には、この網膜スキャナ装置は、個々の観客が利用可能な映画館内の位置に設けられ、個々の観客の網膜のスキャン結果を観客の属性として取得する。
【０１２０】
そして、配信部１３６は、提供条件と上記のような手法により得られた実際の動員数や観客の属性との合致を直ちに判定し、抽出された広告コンテンツに関する識別情報を映画館装置２０に配信することで、リアルタイムの状況に対応する広告配信処理が可能となる。これにより、変形例に係る広告装置１００は、リアルタイムな状況に対応して、最も広告効果の高い広告コンテンツを映画館で提供することができる。
【０１２１】
なお、広告コンテンツの配信のタイミングは上記変形例に限られない。例えば、配信部１３６は、要求受付部１３４によって取得要求が受け付けられた場合に、かかる取得要求に対応する広告コンテンツを映画館装置２０へ配信してもよい。この場合、配信部１３６は、実際に映画館で提供される広告コンテンツのみを映画館装置２０に配信することになる。この結果、広告装置１００は、例えば、実際に配信されない広告コンテンツによってストレージ容量を無駄に消費したり、大量の広告コンテンツ配信により通信回線の悪化を招いたりすることを回避することができる。
【０１２２】
また、配信部１３６が要求受付部１３４によって取得要求が受け付けられた後に広告コンテンツを映画館装置２０へ配信する場合、広告主端末１０は配信のタイミングに間に合うように広告コンテンツを入稿しさえすればよい。すなわち、図１の例で説明すると、広告主端末１０は、ステップＳ１２で広告コンテンツを入稿するとは限られない。例えば、広告主端末１０は、ステップＳ１３、ステップＳ１４又はステップＳ１５の後に広告コンテンツを入稿してもよい。この場合、広告主端末１０は、映画館での広告提供に関する権利の販売サービスにおいて、広告コンテンツを入稿せずに提供条件を指定して販売サービスに入札する。そして、広告主端末１０は、実際に配信する広告コンテンツについては、販売サービスへの入札後に入稿することができる。
【０１２３】
〔６−２．提供条件〕
上述した実施形態に係る配信処理において、入稿受付部１３３は、映画館で提供する広告コンテンツの提供条件として、広告主端末１０から、映画館の所在する地域や本編タイトルの指定を受け付ける例を示した。しかし、入稿受付部１３３は、さらに異なる条件を受け付けてもよい。この点について、図１１を用いて説明する。
【０１２４】
図１１は、変形例に係る広告コンテンツ記憶部１２２の一例である。なお、図５と対応する項目については、説明を省略する。図１１に示した例において、変形例に係る広告コンテンツ記憶部１２２は、「施設条件」として「日程」及び「座席数」を、「本編条件」として「ジャンル」の項目をさらに有する。また、「その他提供条件」の項目をさらに有する。
【０１２５】
「施設条件」における「日程」は、広告コンテンツが組み込まれる映画が提供される日時を指定する提供条件の一つである。「日程」には、例えば、具体的な日付であったり、曜日であったり、午前午後などの指定が含まれる。
【０１２６】
「座席数」は広告コンテンツが組み込まれる映画が提供されるスクリーンにおける座席数を指定する提供条件の一つである。「座席数」には、例えば、具体的な数字や、具体的な数字以上などの数値範囲を指定することができる。
【０１２７】
「本編条件」における「ジャンル」は、映画のジャンルを示す。例えば、「ジャンル」とはアクションやドラマなど、映画を分類した属性の名称である。なお、「ジャンル」には映画が制作された国名を含んでもよい。この場合、例えば「ジャンル」には、邦画、洋画などの表現を含む。
【０１２８】
「その他提供条件」は、上記の施設条件と本編条件に含まれない提供条件を示す。具体的には、「その他提供条件」は、広告コンテンツが提供された場合に課金される課金額の条件などである。
【０１２９】
すなわち、図１１では、広告主ＩＤ「ＣＬ２１」によって識別される広告主が、広告コンテンツＩＤ「Ａ２１」によって識別される広告コンテンツを入稿している例を示している。また、広告コンテンツＩＤ「Ａ２１」には、提供条件の一つである施設条件として、映画館の所在地域が「関東」であって、広告コンテンツが組み込まれる映画が提供される時間帯は「午前中」であり、座席数「１５０〜３００席」の規模が指定されていることを示している。さらに、広告コンテンツＩＤ「Ａ２１」には、提供条件の一つである本編条件として、映画タイトルが指定されず、ジャンル「アクション」が指定されていることを示している。さらに、広告コンテンツＩＤ「Ａ２１」は、課金額が８０００円未満である広告枠のみで提供するように指定されていることを示している。
【０１３０】
これにより、変形例に係る広告装置１００は、広告主のより詳細な要望に沿う広告配信を実現することができる。
【０１３１】
なお、入稿受付部１３３は、上記の提供条件に限られず、その他の提供条件を受け付けてもよい。入稿受付部１３３は、例えば、映画館自体に関する情報として、映画館において提供される映画の傾向又はジャンル（例えばファミリー向けの映画を中心に上映する映画館や、個性的な映画を中心に上映する映画館など）や、映画館を運営する運営会社や、大型映画館において映画を同時に提供可能なスクリーン数や、映画館内でのスクリーンの指定（例えば、立体映像を上映できる特殊効果のあるスクリーンなど）などの条件を受け付けることができる。さらに、入稿受付部１３３は、観客に関する条件として、映画館における実際の動員数や、観客の属性などの条件を受け付けることもできる。
【０１３２】
また、入稿受付部１３３は、映画のコンテンツ情報として、映画の制作者に関する情報を条件として受け付けることもできる。例えば、入稿受付部１３３は、映画の制作者に関する情報として、映画の制作者や、監督や、配給会社や、制作者の国籍や、同一制作者による他の映画の動員実績などの情報を提示する。例えば、上述のように、映画館側が動員数を測定することができるのであれば、入稿受付部１３３は、提供条件として動員数を指定させてもよい。
【０１３３】
〔６−３．要求条件〕
上述した実施形態に係る配信処理において、要求受付部１３４は、映画館で提供する広告コンテンツに関する情報として、広告コンテンツの内容や属する分野、及び時間長に対する要求条件の指定を受け付ける例を示した。しかし、要求受付部１３４は、さらに異なる条件を受け付けてもよい。この点について、図１２を用いて説明する。
【０１３４】
図１２は、変形例に係る取得要求記憶部１２３の一例である。なお、図６と対応する項目については、説明を省略する。図１２に示した例において、取得要求記憶部１２３は、「禁止事項」の項目をさらに有する。
【０１３５】
「禁止事項」は、かかる広告枠において、配信すべきでない広告コンテンツの内容や、入札することのできない広告主を示す。図１２では、広告枠「Ｃ４１１」において、「広告主ＣＬ１３」が禁止事項として設定されている例を示す。例えば、広告枠Ｃ４１１に組み込まれる映画が、広告主ＣＬ１３と競争関係にある事業者によって配給される作品である場合、広告枠Ｃ４１１において広告主ＣＬ１３により広告コンテンツが提供されることは望ましくない。かかる場合、要求受付部１３４は、禁止事項「広告主ＣＬ１３」を要求条件の一つとして受け付ける。
【０１３６】
また、図１２では、広告枠「Ｃ５１１」において、「酒類」及び「たばこ類」が禁止事項として設定されている例を示す。例えば、広告枠Ｃ５１１に組み込まれる映画が子供向けの内容である場合、広告コンテンツとして、酒類やたばこ類を宣伝する内容を提供することはできない。かかる場合、要求受付部１３４は、禁止事項「酒類」及び「たばこ類」を要求条件の一つとして受け付ける。
【０１３７】
なお、禁止事項は、映画館装置２０の管理者が手動で指定してもよいし、映画館装置２０に組み込まれるプログラムにより自動で指定されてもよい。例えば、映画館装置２０は、広告枠に組み込まれる映画が子供向けの内容である場合は、自動で禁止事項に酒類とたばこ類などを加えるようにして、広告装置１００に取得要求を送信するよう設定されてもよい。そして、提供部１２２は、映画館装置２０から取得した禁止事項の項目を含む広告枠に関する情報に基づいて、禁止事項の項目を含んだ広告枠を設定する。また、広告装置１００の管理者が設定する場合には、広告装置１００の管理者は、広告装置１００の有する入力装置を用いて、禁止事項に関する情報を広告装置１００に入力する。これにより、取得部１２１は、入力された禁止事項に関する情報を取得する。そして、提供部１２２は、入力された禁止事項に関する情報に基づいて、広告枠を設定する。また、禁止事項は、法的な要請により定まるものでもよいし、慣習的な要請によるものでもよい。
【０１３８】
これにより、変形例に係る広告装置１００は、より適切な広告コンテンツを抽出して広告コンテンツを提供させることができる。
【０１３９】
なお、要求受付部１３４は、その他の映画館装置２０からの要求条件として、入稿受付部１３３が提供条件として広告主から受け付ける項目に対応する条件を受け付けることができる。例えば、要求受付部１３４は、上述した映画に関する条件や、映画館に関する条件や、観客に関する条件を受け付けることができる。
【０１４０】
〔６−４．課金体系１〕
上述した実施形態に係る配信処理において、広告装置１００は、広告枠に関する情報として課金額を提示し、広告主端末１０から映画館での広告提供に関する権利への入札を受け付ける例を示した。しかし、広告装置１００は、異なる手法により、映画館での広告提供に関する権利への入札を受け付けてもよい。
【０１４１】
すなわち、広告装置１００は、広告枠に関する情報として課金額を提示せず、広告主が自ら指定した入札価格で映画館での広告提供に関する権利への入札を受け付けることもできる。この場合、広告装置１００は、任意の広告枠ごとに指定された入札価格を受け付け、任意の広告枠ごとに映画館での広告提供に関する権利を販売してもよい。
【０１４２】
一つの広告枠に対して複数の広告主により入札価格が指定された場合、入稿受付部１３３は、所定の時刻が経過した時点でかかる広告枠を取得する広告主を決定する。具体的には、入稿受付部１３３は、最も高い金額を提示して入札した広告主をかかる広告枠を取得する広告主として決定する。そして、配信部１３６は、かかる広告枠で提供される広告コンテンツを映画館装置２０に配信する。その後、算定部１３７は、かかる広告枠を取得した広告主に対し、提示された入札価格を課金する。
【０１４３】
これにより、広告装置１００は、予め課金額を設定しなくとも、広告主端末１０に対して映画館での広告提供に関する権利を提供することができる。また、広告主にとっては、他の広告主よりも高い入札価格を指定することにより、より確実に所望する広告枠を取得することができるという利点がある。
【０１４４】
〔６−５．課金体系２〕
広告装置１００は、さらに異なる手法により、映画館での広告提供に関する権利への入札を受け付けてもよい。例えば、広告装置１００は、予め広告主から広告コンテンツの提供にかかる広告料金を予算として受領しておき、広告配信の度に予算から減額していく、いわゆる前課金方式により、映画館での広告提供に関する権利への入札を受け付けてもよい。
【０１４５】
この場合、広告装置１００は、広告コンテンツの広告料が広告予算に到達した場合には、かかる広告コンテンツを映画館装置２０に配信しないように制御する。この場合、広告装置１００は、広告料が広告予算に到達した広告コンテンツの広告主に対して、広告予算を増大させるか否かを問い合わせもよい。また、広告装置１００は、広告料が広告予算に到達することで広告枠が余った場合には、他の広告主に対して販売サービスを提供してもよい。
【０１４６】
〔６−６．課金体系３〕
広告装置１００は、さらに異なる手法により、映画館での広告提供に関する権利への入札を受け付けてもよい。例えば、広告装置１００は、広告枠について課金額を設定せずに、実際の動員数に基づいて広告主に課金することもできる。具体的には、広告装置１００は、任意の広告枠での広告コンテンツの提供後に、上述した手法により映画館が取得した実際の動員数に関する情報について提供を受ける。
【０１４７】
そして、算定部１３７は、実際の動員数と予め設定した動員単価から広告枠の取得にかかる料金を算定し、広告主に課金することができる。
【０１４８】
〔６−７．評判〕
上述した実施形態に係る配信処理において、配信部１３６は、提供条件と要求条件の合致により映画館装置２０に配信する広告コンテンツを決定し、決定した広告コンテンツを配信する例を示した。しかし、配信部１３６は、提供条件と要求条件との合致に加えて、映画館以外で広告コンテンツを提供し、その評判に基づいて映画館装置２０に配信する広告コンテンツを選定してもよい。この点について図１３を用いて説明する。
【０１４９】
図１３は、変形例に係る配信処理の一例を示す図である。図１３では、変形例に係る配信装置に対応する広告装置１００によって広告の配信処理が行われる例を示す。また、図１３において、ユーザ端末３０は、例えば、タブレット型端末や、携帯電話機、ＰＤＡ等であり、ウェブページの閲覧や、ウェブサーバに対して広告配信の要求などを行う。また、検索エンジンサーバ４０はウェブサーバであり、例えばユーザ端末３０から検索クエリを受け付け、検索結果をユーザ端末３０に返すサービスを行う。また、ＳＮＳサーバ４１はウェブサーバであり、ＳＮＳの提供を行う。なお、図１３では、広告主ＣＬ１１が、広告枠Ｃ１１１に、広告コンテンツＡ１１を入稿している例を示す（ステップＳ４１）。ここで、広告コンテンツＡ１１は、ウェブ配信に対応する動画像からなる広告コンテンツである。
【０１５０】
図１３に示した例において、広告装置１００がウェブサーバである場合、広告装置１００は映画館で提供される広告コンテンツに限られず、ウェブページ用に広告コンテンツを配信する。図１３では、広告装置１００は、ユーザ端末３０から広告コンテンツＡ１１にかかる配信要求を受け付ける例を示す。広告装置１００はかかる配信要求を受け付け、ウェブページに対応する広告コンテンツＡ１１をユーザ端末３０に配信する（ステップＳ４２）。
【０１５１】
広告コンテンツＡ１１の配信を受けたユーザ端末３０のユーザは、広告コンテンツＡ１１に対して興味を抱いた場合、何らかの反応を示すことが想定される。例えば、ユーザ端末３０は、ユーザの操作に従って、広告コンテンツＡ１１により宣伝される商品名や、広告コンテンツＡ１１を配信する事業者である広告主ＣＬ１１の名称を検索クエリとして検索エンジンサーバ４０が提供する検索サービスを利用する。また、ユーザ端末３０は、広告コンテンツＡ１１により宣伝される商品名や、広告コンテンツＡ１１を配信する事業者である広告主ＣＬ１１の名称に関する記事をＳＮＳサーバ４１が提供するＳＮＳに投稿する（ステップＳ４３）。
【０１５２】
そして、広告装置１００は、検索エンジンサーバ４０やＳＮＳサーバ４１から、広告コンテンツＡ１１の評判についての情報を取得する（ステップＳ４４）。具体的には、広告装置１００は、検索エンジンサーバ４０にアクセスすることで、広告コンテンツＡ１１により宣伝される商品名や、広告コンテンツＡ１１を配信する事業者である広告主ＣＬ１１の名称について検索クエリの数を取得する。また、広告装置１００は、ＳＮＳサーバ４１にアクセスすることで、広告コンテンツＡ１１に関する投稿記事の数を取得する。例えば、広告装置１００は、検索クエリの数や投稿記事の数が多いほど、広告コンテンツＡ１１の評判がよいと判定する。
【０１５３】
その後、広告装置１００は、上記の評判に基づいて映画館装置２０に配信する広告コンテンツを決定する。例えば、広告コンテンツＡ１１に対する評判がよく、広告効果が高いと判定された場合に、広告装置１００は、広告コンテンツＡ１１を映画館装置２０に配信する（ステップＳ４５）。なお、この場合、入稿受付部１３３は、提供条件の一つとして、上記のような評判に基づいて広告コンテンツＡ１１を映画館装置２０に配信する旨を広告主端末１０から受け付けているものとする。
【０１５４】
一般に、広告コンテンツの広告効果は、公衆に提供され評価を得るまでは判定ができないことが多い。例えば、広告コンテンツが優れた映像作品であったとしても、広告としての宣伝効果が公衆にどれだけ受け入れられるかは未知数である。
【０１５５】
また、例えば映画館で提供される広告コンテンツは、ウェブページで配信される広告コンテンツと異なり、ユーザによるクリック操作などの反応を受けることができない。このため、実際に映画館で提供される広告コンテンツは、配信されることで広告対象（例えば、企業や商品など）の認知度を向上させることができる広告コンテンツであることが望ましい。認知度を向上させることができる広告コンテンツほど、視聴によるブランディング効果を向上させることができる広告コンテンツであるので、ユーザによるクリック操作などを受けることができない映画館での広告コンテンツとして望ましい。
【０１５６】
すなわち、変形例に係る広告装置１００は、映画館に配信する前の段階において、ウェブネットワークを介して広告コンテンツの認知度に関する評価を得ることによって、映画館で提供するのが望ましい広告コンテンツを選定することを可能とする。
【０１５７】
ここで、広告装置１００は、同一広告主から予め数種の広告コンテンツについて入稿を受け付けておいてもよい。例えば、広告装置１００は、映画館で広告コンテンツを提供する前に、数種の広告コンテンツをウェブページに配信することで、かかる広告コンテンツの評判を打診する。これにより、広告装置１００は、入稿された数種の広告コンテンツの中から最も認知度の高い広告コンテンツを選定して、映画館装置２０に配信することができる。
【０１５８】
また、例えば、広告装置１００は、映画館で提供する予定である広告コンテンツについてウェブページに配信することで評判を打診する。そして、広告装置１００は、広告コンテンツの認知度に関する評価を取得した後に、かかる評価を広告主に通知してもよい。これにより、広告装置１００は、かかる評価が芳しくない場合に、広告主に対して入稿した広告コンテンツの変更を促すことができる。
【０１５９】
以上のように、上記変形例に係る広告装置１００は、より広告対象の認知度を向上させると推認される広告コンテンツを選定して、映画館側に広告コンテンツを配信することができる。このため、上記変形例に係る広告装置１００は、配信する広告コンテンツの広告効果を高めることができる。
【０１６０】
なお、上記変形例において、ウェブに配信するコンテンツは、映画館に配信する広告コンテンツと同一のものには限られない。例えば、ウェブに配信するコンテンツは、映画館に配信するコンテンツと同一広告主によって提供されるコンテンツであったり、映画館に配信するコンテンツについてウェブ用に時間長を短く編成したものであったりしてもよい。この場合、ウェブに配信するコンテンツは、上記変形例のように、配信部１３６によって配信されるとは限らず、任意の別のウェブサーバから配信されたものであってもよい。
【０１６１】
また、上記変形例におけるウェブページには、いわゆるデスクトップ型ＰＣ用のウェブページに限られず、タブレット型端末や、携帯電話機、ＰＤＡ等用に配信されるウェブページも含まれる。さらに、上記変形例におけるウェブページには、タブレット型端末用のアプリケーションなどによって提供されるサービス（例えば、ネットワークを利用した動画提供アプリケーション）によって表示されるコンテンツも含まれるものとする。
【０１６２】
〔６−８．管理装置〕
上述した実施形態に係る配信処理において、広告装置１００は、映画館装置２０から広告枠に関する情報の提供を受け、映画館装置２０に広告コンテンツを配信する例を示した。しかし、広告装置１００は、映画館装置２０とではなく、例えば、複数の映画館を管理する映画館管理装置５０に対して、同様の処理を行うことができる。この点について図１４を用いて説明する。なお、以下では、複数の映画館装置について、映画館装置２０、映画館装置２１及び映画館装置２２として表記する。
【０１６３】
図１４は、変形例に係る配信システム１の構成例を示す図である。なお、図２と対応する構成については、説明を省略する。図１４に示すように、配信システム１には、映画館管理装置５０と、映画館管理装置５０が管理する映画館装置２０、映画館装置２１及び映画館装置２２が含まれる。映画館装置２１及び映画館装置２２は、映画館装置２０とは異なる映画館に備えられた情報処理装置であって、映画館装置２０と同様の処理を行うことができる装置である。なお、図示は省略するが、映画館管理装置５０は、さらに多くの情報処理装置を管理していてもよい。
【０１６４】
図１４に示した例では、広告装置１００は、上述した実施形態に係る配信処理において映画館装置２０に対して行う手続きを映画館管理装置５０に対して行う。広告装置１００は、例えば、映画館装置２０を備える映画館で提供される広告コンテンツを映画館管理装置５０に配信する。映画館管理装置５０は、かかる広告コンテンツを実際に提供される映画館にかかる映画館装置２０に配信する。これにより、広告装置１００は、一連の配信処理を映画館管理装置５０に対して行うことによっても、上述した実施形態と同様に、映画館装置２０を備える映画館で広告コンテンツを提供することができる。
【０１６５】
この場合、実施形態に係る配信処理に比べ、広告装置１００による配信処理を簡略化できる場合がある。具体的には、上述した実施形態に係る配信処理において、広告装置１００が複数の映画館における広告枠に関する情報を取得するためには、複数の映画館装置２０〜２２からそれぞれ情報を取得する必要がある。また、広告装置１００は、広告枠関連情報を、それぞれ対応する複数の映画館装置２０〜２２に配信する必要がある。
【０１６６】
一方、上記変形例に係る配信処理において、広告装置１００は、映画館管理装置５０との間で処理を行うことにより、複数の映画館装置２０〜２２に対して処理を行うことと同様の結果を得る。すなわち、実施形態に係る配信処理に比べ、変形例に係る広告装置１００は、一連の配信処理手順を減らすことができるため、配信処理を簡略化できる。
【０１６７】
なお、映画館管理装置５０は、例えば、施設である映画館側（配給会社など）によって管理される。「施設」や「映画館」といった表記は、このような映画館管理装置５０を含む概念であるものとする。
【０１６８】
〔６−９．広告枠の時間長〕
また、上記の実施形態では、映画館装置２０から提供される広告枠に関する情報には、配信時間が予め設定されている例を示した。すなわち、広告装置１００は、予め設定された配信時間に対応する時間長の広告コンテンツの入稿を受け付け、固定された時間長で提供される広告コンテンツを映画館装置２０に配信する例を示した。しかし、映画館装置２０は、広告枠に予め配信時間を設定しなくてもよい。すなわち、広告装置１００は、配信時間を含めずに広告枠に関する情報を広告主に提示してもよい。
【０１６９】
この場合、入稿受付部１３３は、広告主から任意の時間長に構成された広告コンテンツの入稿を受け付ける。そして、映画館装置２０は、要求条件に任意の時間長を設定することにより、映画館で提供される広告コンテンツの取得を要求することができる。すなわち、映画館装置２０は、求める時間長で構成される広告コンテンツに合わせて、広告枠にかかる配信時間を動的に変更させることができる。
【０１７０】
これにより、変形例に係る広告装置１００は、映画館にとって広告配信の柔軟なスケジューリングを可能にさせる。また、変形例に係る広告装置１００は、広告主にとって、一般的な広告コンテンツの時間長（例えば、１５秒、３０秒など）ではない広告コンテンツを映画館で提供しやすくさせる。
【０１７１】
〔６−１０．広告枠〕
また、上記の実施形態では、広告枠が映画の本編前に組み込まれる例を示した。言い換えれば、上記の実施形態では、広告コンテンツが映画の本編前に上映される例を示した。しかし、広告コンテンツが上映されるタイミングは上記例に限られない。すなわち、広告コンテンツが映画とともに提供されるとは、映画の本編中に上映されてもよいし、映画の本編後に上映されてもよいことを意味する。
【０１７２】
また、広告主は、映画館での広告提供に関する権利の販売サービスにおいて、広告枠の位置を指定して広告提供に関する権利を購入することもできる。例えば、広告主は、本編により近い広告枠を指定して広告提供に関する権利を購入する。一般に、本編に近い時間帯ほど映画館の観客は着席していることが想定される。このため、広告主は、本編により近い広告枠で広告コンテンツを提供させることにより、広告コンテンツを観客に注視させやすくなることが考えられる。この結果、広告主は、提供させる広告コンテンツの広告効果を向上させることができる。
【０１７３】
〔６−１１．コンテンツの例〕
また、上記の実施形態では、施設で提供される第１コンテンツとして映画を、第１コンテンツとともに提供される第２コンテンツが広告である例を示した。しかし、この例に限られず、各コンテンツは様々な態様があってもよい。例えば、第１コンテンツとしては、演劇、コンサートなど、観客を動員して行われる様々な催事が含まれてもよい。また、第２コンテンツとしては、個人クリエイタによって制作されたショートフィルムなどが含まれてもよい。この場合、ショートフィルムを制作した個人クリエイタが、第２コンテンツの提供主となりうる。これにより、広告装置１００は、映画館という空間において自身の制作したショートフィルム作品を上映したいという個人クリエイタのニーズに応えることができる。
【０１７４】
〔６−１２．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１７５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１７６】
例えば、上記実施形態においては、図２に示すように、広告主端末１０と、映画館装置２０と、広告装置１００とが含まれる配信システム１について例示したが、他の形態についても考えられる。例えば、配信システム１には、複数台の広告主端末１０を統括するような広告入札管理サーバ等が含まれてもよい。この場合、広告装置１００は、広告入札管理サーバに対して、広告枠に関する情報を提示したり、映画館での広告提供に関する権利の販売サービスを提供したりする。
【０１７７】
また、例えば、図３に示した広告装置１００は、広告枠に関する情報を取得し、販売サービスを提供する提供装置と、広告コンテンツを配信する配信装置とに分散されてもよい。この場合、提供装置は、図３に示した配信部１３６を有しなくてもよい。また、配信装置は、図３に示した取得部１３１と提供部１３２を有しなくてもよい。
【０１７８】
また、例えば、図３に示した広告枠記憶部１２１や広告コンテンツ記憶部１２２や取得要求記憶部１２３は、広告装置１００が保持せずに、図示しないストレージサーバ等が保持してもよい。この場合、広告装置１００は、広告枠記憶部１２１や広告コンテンツ記憶部１２２や取得要求記憶部１２３に記憶されている各種情報を取得する。
【０１７９】
また、例えば、映画館は、映画館で広告が上映されたことを示す情報を取得する装置を備える。具体的には、映画館には、実際に映画館で広告が流れている音声を集音する集音装置が設けられる。広告装置１００は、例えば、映画館装置２０から、かかる集音された音声データを受け付け、広告主に情報として提示することができる。これにより、広告装置１００は、取得した広告枠において実際に映画館で広告が上映されたか確認したいという広告主の要望に応えることができる。
【０１８０】
また、上述してきた各実施形態は、処理内容を矛盾させない範囲で適宜組み合わせることが可能である。
【０１８１】
〔６−１３．ハードウェア構成〕
また、上述してきた実施形態に係る広告装置１００は、例えば図１５に示すような構成のコンピュータ１０００によって実現される。以下、広告装置１００を例に挙げて説明する。図１５は、広告装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１８２】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１８３】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応）を介して他の機器からデータを受信してＣＰＵ１１００へ送り、ＣＰＵ１１００が生成したデータを通信網５００を介して他の機器へ送信する。
【０１８４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１８５】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１８６】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、広告枠記憶部１２１、広告コンテンツ記憶部１２２及び取得要求記憶部１２３内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１８７】
〔７．効果〕
上述してきたように、実施形態に係る広告装置１００は、映画館において映画（第１コンテンツの一例）とともに提供される広告コンテンツ（第２コンテンツの一例）の入稿を受け付ける入稿受付部１３３と、映画館から広告コンテンツの取得要求を受け付ける要求受付部１３４と、入稿受付部１３３によって受け付けられた広告コンテンツのうち、要求受付部１３４によって受け付けられた取得要求に対応する広告コンテンツに関する情報を映画館側へ配信する配信部１３６とを備える。
【０１８８】
これにより、実施形態に係る広告装置１００は、広告配信において、配給側の負担を軽減させることができる。
【０１８９】
また、実施形態に係る要求受付部１３４は、映画館において提供される広告コンテンツの条件である要求条件を含む取得要求を受け付け、実施形態に係る配信部１３６は、入稿受付部１３３によって受け付けられた広告コンテンツのうち、要求受付部１３４によって受け付けられた要求条件を満たす広告コンテンツを配信する。
【０１９０】
さらに、要求受付部１３４は、要求条件として広告コンテンツの内容、広告コンテンツが属する分野、広告コンテンツの時間長の少なくとも１つを受け付ける。
【０１９１】
これにより、実施形態に係る広告装置１００は、広告コンテンツが提供される映画館側の詳細な要望に沿った広告コンテンツの配信をすることができる。
【０１９２】
また、実施形態に係る入稿受付部１３３は、広告コンテンツを提供する提供条件を受け付け、実施形態に係る配信部１３６は、入稿受付部１３３によって受け付けられた広告コンテンツのうち提供条件が要求条件を満たす広告コンテンツを配信する。
【０１９３】
これにより、実施形態に係る広告装置１００は、広告配信において、映画館側と広告主側との要求を合致させた広告コンテンツ配信をすることができる。
【０１９４】
また、実施形態に係る入稿受付部１３３は、提供条件として映画館に関する条件を受け付ける。
【０１９５】
さらに、実施形態に係る入稿受付部１３３は、映画館に関する条件として、映画館が所在する地域、映画館で映画が提供される日程、映画館に収容可能な収容数の少なくとも１つを受け付ける。
【０１９６】
これにより、実施形態に係る広告装置１００は、広告主にとって、広告コンテンツが提供される施設に関する詳細な要望に応えるような広告コンテンツの配信をすることができる。
【０１９７】
また、実施形態に係る入稿受付部１３３は、提供条件として、映画に関する条件を受け付ける。
【０１９８】
また、実施形態に係る提供部１３２は、映画に関する条件として、映画の題名又は内容を指定させた上で映画館での広告コンテンツの提供に関する権利の販売サービスを提供する販売サービスを提供する。
【０１９９】
これにより、実施形態に係る広告装置１００は、広告主にとって、広告コンテンツとともに提供される映画に関する詳細な要望に応えるような広告コンテンツの配信をすることができる。
【０２００】
また、実施形態に係る配信部１３６は、入稿受付部１３３によって広告コンテンツの入稿を受け付けられた場合に、かかる広告コンテンツを映画館へ配信し、要求受付部１３４によって取得要求が受け付けられた場合に、広告コンテンツに関する情報として、取得要求に対応する広告コンテンツを識別するための識別情報を映画館へ配信する。
【０２０１】
これにより、実施形態に係る広告装置１００は、リアルタイムな状況に対応して、最も広告効果の高い広告コンテンツを映画館で提供することができる。
【０２０２】
また、実施形態に係る配信部１３６は、要求受付部１３４によって取得要求が受け付けられた場合に、広告コンテンツに関する情報として、取得要求に対応する広告コンテンツを映画館へ配信する。
【０２０３】
これにより、実施形態に係る広告装置１００は、実際に映画館で提供される広告コンテンツのみを映画館に配信することができる。
【０２０４】
また、実施形態に係る配信部１３６は、ウェブページを表示する端末装置へ広告主に対応する広告コンテンツを配信し、配信した広告コンテンツに対する評判に基づいて、映画館に配信する広告コンテンツを選定する。
【０２０５】
これにより、実施形態に係る広告装置１００は、より広告対象の認知度を向上させると推認される広告コンテンツを選定して、映画館側に広告コンテンツを配信することができる。このため、実施形態に係る広告装置１００は、配信する広告コンテンツの広告効果を高めることができる。
【０２０６】
また、実施形態に係る広告装置１００は、広告主に対応する広告コンテンツを映画館で提供可能な形式に変換する変換部１３５をさらに備え、実施形態に係る配信部１３６は、変換部１３５によって変換された後の広告コンテンツに関する情報を映画館に配信する。
【０２０７】
これにより、実施形態に係る広告装置１００は、広告コンテンツの形式にかかわらず広告主に広告コンテンツを入稿させることができるため、広告配信にかかる広告主の負担を軽減させることができる。
【０２０８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２０９】
また、上述してきた「部（section、module、unit）」は、「手段」や「回路」などに読み替えることができる。例えば、提供部は、提供手段や提供回路に読み替えることができる。
【符号の説明】
【０２１０】
１  配信システム
１０  広告主端末
２０  映画館装置
１００  広告装置
１３１  取得部
１３２  提供部
１３３  入稿受付部
１３４  要求受付部
１３５  変換部
１３６  配信部
１３７  算定部
【図１】
0005986120.tif 000002
【図２】
0005986120.tif 000003
【図３】
0005986120.tif 000004
【図４】
0005986120.tif 000005
【図５】
0005986120.tif 000006
【図６】
0005986120.tif 000007
【図７】
0005986120.tif 000008
【図８】
0005986120.tif 000009
【図９】
0005986120.tif 000010
【図１０】
0005986120.tif 000011
【図１１】
0005986120.tif 000012
【図１２】
0005986120.tif 000013
【図１３】
0005986120.tif 000014
【図１４】
0005986120.tif 000015
【図１５】
0005986120.tif 000016